(57)【要約】      （修正有）【課題】仏壇内部の前面側から後面側に至る部分の空間寸法の変化を遠近法の原理に沿うものとして、実際の寸法以上の奥行きを感じさせるようにした仏壇を提供する。【解決手段】仏壇内部の仏具およびお供え物設置スペースの右側と左側に柱体４を有する仏壇であって、右側の柱体と左側の柱体との間の対向面間の間隔は、仏壇の前面側から後面側に沿って大から小に変化する構成となっており、かつ右側の柱体の右側の側面と左側の柱体の左側の側面とが平行であることを特徴とする。右側の柱体の後面と仏壇の後面との間および左側の柱体の後面と仏壇の後面との間には、所定の奥行きの空間８が設けられているのが好ましい。【選択図】図４
0003207820.tif 000002
【実用新案登録請求の範囲】
【請求項１】
仏壇内部の前面側から後面側に至る部分の左右又は上下何れかの構成部材間の空間寸法の変化、もしくは同前面側から後面側に至る部分の左右および上下各々の構成部材間の空間寸法の変化を、各々遠近法の原理に沿って大から小に変化する構成として、仏壇内部の空間に実際の寸法以上の奥行きを感じさせるようにしたことを特徴とする仏壇。
【請求項２】
仏壇内部の前面側から後面側に至る部分の左右又は上下何れかの構成部材間の空間寸法の変化、もしくは同前面側から後面側に至る部分の左右および上下各々の構成部材間の空間寸法の変化を、当該構成部材の連続面による連続的な寸法変化としたことを特徴とする請求項１記載の仏壇。
【請求項３】
仏壇内部の前面側から後面側に至る部分の左右又は上下何れかの構成部材間の空間寸法の変化、もしくは同前面側から後面側に至る部分の左右および上下各々の構成部材間の空間寸法の変化は、後面の所定寸法手前までとし、仏壇内部の前面側から後面側に至る部分の左右又は上下何れかの構成部材、もしくは同前面側から後面側に至る部分の左右および上下各々の構成部材と後面との間には、所定の前後方向幅の奥行き空間が設けられていることを特徴とする請求項１又は２記載の仏壇。
【考案の詳細な説明】
【技術分野】
【０００１】
この出願の考案は、仏壇内部の構成に遠近法の原理を採用し、実際よりも遥かに奥行きが深く見えるようにした仏壇の構造に関するものである。
【背景技術】
【０００２】
最近では、核家族化や少子高齢化による家族構成の変化、またマンション生活やアパート生活の増加などの住宅事情の変化、さらには仏壇に対する意識の変化などにより、従来から一般的なサイズとされてきた大型の仏壇に変わって、団地サイズの小型の仏壇の需要が増えている。
【０００３】
このような仏壇の場合、マンションの棚やリビングなどに設置する関係から、相当にコンパクト化され、上下左右の寸法が小さいだけでなく、奥行きも非常に浅いものとなっている（たとえば、特許文献１の仏壇の構成を参照）。
【０００４】
ところが、このように外形の寸法が小さくて、扉を開けた時の奥行きが浅い場合、どうしても重厚感に欠け、見た目に寂しい仏壇となる。
【０００５】
そこで、このような課題を解決するために、当該仏壇の筐体部内面を鏡面に形成し、内部に視覚的な広がりを与えるとともに、設置された装飾品や仏具の数を多く見せることによって、重厚感を感じさせるようにしたものが提案されている（たとえば、特許文献２の仏壇の構成を参照）。
【０００６】
このような構成の場合、確かに鏡面効果によって、奥行きや幅が広く見えるようにはなる。また、数少ない仏具が実際の数より多く見えるようになり、豪華さが増す利点はある。
【先行技術文献】
【特許文献】
【０００７】
【特許文献１】特開２０１２−８１２０５号公報
【特許文献２】特開２００４−１６００５６号公報
【考案の概要】
【考案が解決しようとする課題】
【０００８】
しかし、上記特許文献２のような鏡面構成の場合、仏壇内が３面鏡のように複雑な状況になり、また対面する自らの顔なども写るので、非常に違和感のある状態となり、仏壇としての重厚感とは程遠いものとなる。また、蝋燭などを点した時や電気の照明が反射し、落ち着かない景観となる。したがって、とても自然な奥行き感を実現できる構成のものとは言えない。また、鏡面は、蝋燭の煤や線香の煙で曇り易く、定期的な清掃が必要になる。そもそも、鏡面構造は、仏壇には似合わない。
【０００９】
この出願の考案は、このような課題を解決するためになされたもので、仏壇内部の前面側から後面側に至る部分の構成部材間の空間寸法の変化を遠近法の原理に沿うものとして、実際の寸法以上の奥行きを感じさせるようにした仏壇を提供することを目的とするものである。
【課題を解決するための手段】
【００１０】
この出願の考案は、以上の課題を解決するために、次のような課題解決手段を備えて構成されている。
【００１１】
（１）請求項１の考案の課題解決手段
すなわち、この考案の課題解決手段は、仏壇内部の前面側から後面側に至る部分の左右又は上下何れかの構成部材間の空間寸法の変化、もしくは同前面側から後面側に至る途中の左右および上下各々の構成部材間の空間寸法の変化を、各々遠近法の原理に沿って大から小に変化する構成として、仏壇内部の空間に実際の寸法以上の奥行きを感じさせるようにしたことを特徴としている。
【００１２】
このように、仏壇内部の前面側から後面側に至る部分の左右又は上下何れかの構成部材間の空間寸法の変化、もしくは同前面側から後面側に至る部分の左右および上下各々の構成部材間の空間寸法の変化を、各々遠近法の原理に沿って大から小に変化する構成にすると、仏壇の前方側から後方側を見た時に、仏壇内部の左右の構成部材間の空間寸法が、手前側では大きく、奥側に行くにしたがって小さく縮小してゆく。また、同上下の構成部材間の空間寸法が、手前側では大きく、奥側に行くにしたがって小さく縮小してゆく。左右および上下各々の構成部材間の空間寸法の変化を共に大から小に変化する構成にすると、それらの作用が、仏壇内部の左右および上下で同時に実現される。
【００１３】
その結果、仏壇内部を見ているユーザーの視野は、奥に行くほど徐々に狭くなって行き、最終的に最も遠くに見える小さな面積内の１点（集約点）に集約されることになる。これにより、仏壇の内部空間において、立体的に絵画などで用いられる透視遠近法における奥行きの延長効果が実現される。
【００１４】
この効果は、仏壇内の左右又は上下、もしくは左右および上下両側にある各構成部材の見える面が、順次手前側から奥側に位置変位していることによっても有効に実現される。
【００１５】
したがって、このような構成による場合、従来の鏡面構造による場合と異なって、仏壇内の左右又は上下、もしくは左右および上下両側にある各構成部材間の空間寸法を変化させるだけのごく自然な構成で実現することができ、仏壇内部の構成に何らの違和感を生じさせることなく、仏壇本来の重厚さを失うこともない。もちろん、鏡面の清掃などのような特別なメンテナンスも不要である。
【００１６】
（２）請求項２の考案の課題解決手段
この考案の課題解決手段は、請求項１の課題解決手段の構成において、仏壇内部の前面側から後面側に至る部分の左右又は上下何れかの構成部材間の空間寸法の変化、もしくは同前面側から後面側に至る部分の左右および上下各々の構成部材間の空間寸法の変化を、当該構成部材の連続面による連続的な寸法変化としたことを特徴としている。
【００１７】
請求項１の課題解決手段の構成のように、仏壇内部の前面側から後面側に至る部分の左右又は上下何れかの構成部材間の空間寸法の変化、もしくは同前面側から後面側に至る部分の左右および上下各々の構成部材間の空間寸法の変化を、各々遠近法の原理に沿って大から小に変化する構成とする場合、たとえば所定の奥行き寸法毎の段階的な寸法変化や曲面や傾斜面などを用いた連続面による連続的な寸法変化などの種々の構成が考えられる。
【００１８】
この請求項２の考案では、それらの内の連続面による連続的な寸法変化を採用している。このように連続面による連続的な寸法変化とした場合、所定奥行き寸法毎の段階的な寸法変化とした場合に比べて、構成部材の相互の対応面の変化が滑らかな形で連続するので、煩雑さがなく、遠近構造を採用していることを感じさせなくて済み、仏壇内部のデザインがスッキリしたものになる。また、製造時の加工も容易である。
【００１９】
（３）請求項３の考案の課題解決手段
この考案の課題解決手段は、請求項１または２の課題解決手段の構成において、仏壇内部の前面側から後面側に至る部分の左右又は上下何れかの構成部材間の空間寸法の変化、もしくは同前面側から後面側に至る部分の左右および上下各々の構成部材間の空間寸法の変化は、後面の所定寸法手前までとし、仏壇内部の前面側から後面側に至る部分の左右又は上下何れかの構成部材、もしくは同前面側から後面側に至る途中の左右および上下各々の構成部材と後面との間には、所定の前後方向幅の奥行き空間が設けられていることを特徴としている。
【００２０】
このように、仏壇内部の前面側から後面側に至る部分の左右又は上下何れかの構成部材間の空間寸法の変化、もしくは同前面側から後面側に至る部分の左右および上下各々の構成部材間の空間寸法の変化は、後面の所定寸法手前までとし、仏壇内部の前面側から後面側に至る部分の左右又は上下何れかの構成部材、もしくは同前面側から後面側に至る部分の左右および上下各々の構成部材と後面との間に、所定の前後方向幅の奥行き空間を設けると、徐々に空間寸法が小さく縮小された最終遠近視野の後に、さらに奥行き空間が存在することになり、いわゆる視線の抜けが生じ、より奥行き感が増大する。
【００２１】
また、必要に応じて、同空間部を利用して天井証明、間接照明を施すことができ、光と影の作用により、仏壇内部の空間を広く、深く、また高く感じさせることができる。
【考案の効果】
【００２２】
以上の結果、この出願の考案によれば、従来の小型仏壇の問題を確実に解消した、奥行き感、広がり感のある斬新な小型仏壇を提供することが可能となる。
【図面の簡単な説明】
【００２３】
【図１】この出願の考案の第１の実施の形態に係る仏壇の全体的な構成を示す扉を開いた状態の正面図である。
【図２】同第１の実施の形態に係る仏壇の構成を示す断面図（図１のＡ−Ａ断面図）である。
【図３】同第１の実施の形態に係る仏壇の構成を示す断面図（図１の扉を閉じた状態におけるＢ−Ｂ断面図）である。
【図４】同第１の実施の形態に係る仏壇の要部の構成と同要部の構成による第１の奥行き延長（拡大）作用を説明する図１のＡ−Ａ断面図を用いた説明図である。
【図５】同第１の実施の形態に係る仏壇の要部の構成と同要部の構成による第２の奥行き延長（拡大）作用を説明する図１のＡ−Ａ断面図を用いた説明図である。
【図６】同第１の実施の形態に係る仏壇の背板（後面部）手前に設けられた奥行き延長（拡大）空間と天井照明、間接照明の作用を説明する要部の拡大断面図である。
【図７】同第１の実施の形態の変形例に係る仏壇の構成を説明するための図１のＡ−Ａ断面図と同様の断面図である。
【図８】この出願の考案の第２の実施の形態に係る仏壇の全体的な構成を示す正面図である。
【図９】同第２の実施の形態に係る仏壇の構成を示す断面図（図８のＣ−Ｃ断面図）である。
【図１０】同第２の実施の形態に係る仏壇の構成を示す断面図（図８のＤ−Ｄ断面図）である。
【図１１】この出願の考案の第３の実施の形態に係る仏壇の要部の構成を示す断面図（図１のＡ−Ａ断面図に対応）である。
【図１２】この出願の考案の第４の実施の形態に係る仏壇の要部の構成を示す断面図（図１のＡ−Ａ断面図に対応）である。
【図１３】この出願の考案の第５の実施の形態に係る仏壇の要部の構成を示す断面図（図１のＡ−Ａ断面図に対応）である。
【図１４】この出願の考案の第６の実施の形態に係る仏壇の要部の構成を示す断面図（図１のＡ−Ａ断面図に対応）である。
【考案を実施するための形態】
【００２４】
以下、添付の図面の図１〜図１４を参照して、この出願の考案を実施するための幾つかの最適な実施の形態の構成および作用について、詳細に説明する。
【００２５】
（第１の実施の形態）
まず図１〜図７は、この出願の考案を実施する第１の実施の形態に係る仏壇の構成と作用を示している。この実施の形態に係る仏壇は、種類としては、すでに従来例のところで説明したような、小型で、奥行きが浅い団地サイズのものが選ばれている。
【００２６】
当該仏壇の全体的な構成を示す図１〜図３に置いて、符号１は、前面側開口部に開閉用の扉２を備えた当該仏壇本体の直方体形状の筐体部を示している。該仏壇本体の筐体部１は、底板１１、側板１２，１２、天板１３、背板１４、背板カバー１５からなっており、その底板１１より下部側には下台部が設けられている。下台部上部側には引き出し５、下台部下部側には下台側膳引き６が、それぞれ前方に引き出し可能に設けられている。符号６１は、下台側膳引き６の収納空間、符号６２は同膳引き収納空間内左右両側の膳引き支持部材である。
【００２７】
筐体部１の前部側開口部に設けられている扉２は、左右各２枚の半体２１,２２、２１,２２を折り曲げ自在に連結して個性されており、この実施の形態では、内側に障子戸のない戸板のみの構成のものとなっている。この扉２は、下台部下部側の膳引き６の前端部上まで延びて配置されている。
【００２８】
このような構成の仏壇本体の仏具やお供え物の設置スペース３部分には、まず上記底板１１の左右両側に位置して、それぞれ所定の高さの段部を形成する第１の段部３１、３１、第２の段部３２、３２が設けられ、さらにその上に所定の曲率変化の円弧面４１、４１を備えて相互に対向する左右一対の柱体（透視遠近効果を生じさせる中柱）４、４が設けられている。
【００２９】
上記第１の段部３１、３１は、底板１１上の左右両側で上記柱体４、４よりも少し左右方向の幅が広く、前後方向の長さは略底板１１の奥行き方向（前後方向）の長さと同等のものとなっている。また、第２の段部３２、３２は、上記第１の段部３１、３１上で同様に上記柱体４、４よりも少し左右方向の幅が広い（第１の段部３１、３１と略同一）が、前後方向の長さは同第１の段部３１、３１よりも奥行き方向（前後方向）の長さが所定寸法以上に短いものとなっている。この長さは、次に説明する第１の棚部３４の位置から後部側背板１４部分まで延びる長さのものとなっている。
【００３０】
このように、上記左右一対の第１、第２の段部３１，３１、３２，３２は、それぞれ前後方向に長さを異にし、その前端部位置の前後関係を下部側第１の段部３１，３１の前端部が手前にあり、他方上部側第２の段部３２，３２の前端部が後方側にある関係に設定することにより遠近感（奥行き）を生じさせるようになっている。
【００３１】
上記底板１１上の上記第１の段部３１，３１の間には、載置状態で前部側所定位置に引き出すことができる一種の膳引き３３が設けられている。
【００３２】
第１の棚部３４は、たとえば透明なアクリル板からなり、図１〜図３から明らかなように、上記第２の段部３２よりも所定寸法高い上記柱体４、４の上下方向途中に在って、上記柱体４、４間に架け渡されて支持されている。この第１の棚部３４は、上記左右の柱体４、４の前端から背板１４の前面までの広い前後幅を有して構成されている（図３参照）。他方、第２の棚部３５は、たとえば透明なアクリル板からなり、図１〜図３から明らかなように、上記柱体４、４の上下方向の途中に在って、上記第１の棚部３４よりも所定高さ上方に位置して上記柱体４、４間に架け渡されて支持されている。この第２の棚部３５は、上記左右の柱体４、４の前後方向中間位置から背板１４の前面までの狭い前後幅を有して構成されている（図３参照）。
【００３３】
このように、上記左右一対の第１、第２の段部３１，３１、３２，３２が、それぞれ前後方向に長さを異にし、その前端部位置の前後関係を変えることにより遠近感を生じさせているのと同様に、第１、第２の棚部３４，３４、３５，３５も、それぞれ前後方向の板幅を異にするものとし、その前端部位置を下部側第１の棚部３４，３４を手前側に、上部側第２の棚部３５，３５を後方側に位置させることにより遠近感を生じさせるようにしている。
【００３４】
これら第１、第２の棚部３４，３４、３５，３５は、また、それぞれ透明なアクリル板により形成することにより、棚板の存在自体が分かりにくい（見えにくい）ようにすることによって、仏壇本体内が可及的に広く感じられるようにしている。また、そのように透明体にすることによって、後述するように、天井からの照明光を背板１４や側板１２、１２、底板１１等で反射させて間接的に仏壇本体内全体を照明する場合にも、光をさえぎることなく全体を均等に照らすことができるので、より適切な照明を行なうことができ、可及的に仏壇本体内を広く見せることができる。
【００３５】
仏壇本体の筐体部１内の左右両側に在って、上記のように第１、第２の棚部３４、３５の左右両端部を嵌合支持している左右一対の柱体４，４は、図２から明らかなように、円柱体を９０度間隔で縦に４分割したような断面形状をしているが、この実施の形態では、その寸法は、図４から明らかなように、前後方向の寸法ａの方が左右方向の寸法ｂよりも所定の寸法だけ大きい形状のものとなっており、それぞれの内側円弧面４１、４１同士が左右方向に相互に所定の間隔をおいて対面する状態で、上端が天板１３、下端が第２の段部３２、３２に対して、また側面が側板１２、１２に対して、各々固定されている。この柱体４、４の筐体部１内前後方向の設置位置は、中間部でも、後方寄り（背板寄り）でも構わないが、この実施の形態では、たとえば図２〜図４に示すような、後方寄り（背板寄り）の位置に設置し、しかも背面４２、４２と背板１４との間に所定の前後方向寸法ｃの奥行き空間８を残して設置されている。
【００３６】
この奥行き空間８は、視覚的な奥行き拡大効果に加えて、後に述べるような間接照明用の空間としても利用される。また、前後方向の寸法をａとし、後方寄り位置に設置することによって、その前部側の側板１２、１２間に左右方向寸法Ｗと言う最大限に広い、仏具やお供え物の設置スペース３を実現している（図４参照）。
【００３７】
ところで、左右方向に所定の間隔をおいて対面する上記左右一対の柱体４、４の円弧面４１、４１は、その前端側（側板位置）から後端側（背面４２、４２の内端側）にかけて、次第に相互の間の空間寸法（対向面間の間隔）が小さくなる緩やかな曲面に形成されている。しかも、同曲面よりなる当該円弧面４１、４１は、柱体４、４の前後方向の寸法ａの方が左右方向の寸法ｂよりも所定の寸法だけ大きく、前後方向に長い形状として、十分に有効な距離のあるものとしている。
【００３８】
したがって、このような構成の場合、たとえば図４に示すように、仏壇の扉２を開けて仏壇の前に立ち、仏壇本体内を前方側から後方側に見た時に、仏壇本体内部の左右の柱体４、４間の空間寸法が、手前側では大きく、奥側に行くにしたがって、次第に小さく縮小してゆくために、仏壇本体内の空間面責そのものも同様の状態に変化することになり、仮想線で示すような透視遠近作用が生じ、視線の集約点が実際の仏壇本体内の背板１４よりも後方に延長されるようになる。これにより、仏壇本体の内部空間において、立体的に絵画などで用いられる透視遠近法における奥行きの延長効果が実現される。
【００３９】
しかも、この場合において、上記柱体４、４の背面４２、４２と背板１４との間には所定の前後方向寸法ｃの奥行き空間８が設けられている。したがって、図５から明らかなように、左右の柱体４、４の円弧面４１、４１を見てゆく視線は、当該円弧面４１、４１を過ぎて未だその向こうに深い空間の存在を感じるようになる。すなわち、遠近感の実現に有効な、いわゆる視線の抜け（窓開け効果／窓の向こうの景色が見えるようになる）が実現される。その結果、さらなる空間拡張、奥行き延長効果が生じる。
【００４０】
また、同構成では、すでに述べたように、そのような透視遠近作用を引き起こす柱体４、４の構造に加えて、第１、第２の段部３１，３１、３２，３２や第１、第２の棚部３４，３５も、下側のものが手前側に大きく突出する一方、上部側のものが大きく後方に下がっている。したがって、これらの構成部材相互の関係によっても、上述した透視遠近作用が生じ、仏壇本体内の空間拡張、奥行き延長効果が生じる。
【００４１】
しかも、その場合において、第１、第２の棚部３４、３５は、アクリル板などの透明体よりなっているので、視覚的には存在感が弱く、空間制約力も低い。そのため、仏壇本体内部の空間を可及的に広く見せることができる。
【００４２】
ところで、この実施の形態の場合、上記のように柱体４、４の背面４２、４２側と背板１４の前面１４ａ側との間には所定の前後方向寸法ｃの奥行き空間８が設けられている。そして、この奥行き空間８の上端側天板１３の裏面には、左右両端に亘ってテープ状のＬＥＤ（照明手段）７が設けられており、天井照明手段として、背板１４の前面１４ａを反射面に利用して、仏壇本体内の全体を均一に間接照明するようにしている。
【００４３】
反射面となる背板１４の前面１４ａは、たとえば図３に示すような、左右両方向に延びる所定の深さの円弧状の凹面溝が、上端側から下端側まで並設された光の反射面となっており、上記ＬＥＤ７が点灯されると、たとえば図６に示されるように、上方側天井部からの光を順次前方に反射して、上記仏壇本体内の天板部１３の裏面、側板１２、１２の内面、底板１１の上面、柱体４、４の円弧面４１、４１、第１の棚部３４、第２の棚部３５、第１の段部３１、３１の上面、第２の段部３２、３２の上面を間接的にソフトに照明する。
【００４４】
この場合、図６から明らかなように、上記ＬＥＤ７からの光は、上記反射面の各凹面溝で反射するが、その反射点は、入射角が大きい上部側では凹面溝の中央部で反射されるが、下方に行くにしたがって入射角が小さくなり、水平に近くなってゆくので、反射面の面積も下部側の一部と次第に狭くなって行く。その結果、当該反射面である背板１４の前面部の凹面溝も上部から下部に行くに従って影の部分が多くなり、光の陰影により凹凸状態を示しながら、下方に向けて暗くなっていくブラインドパターンを生ぜしめる。
【００４５】
この凹凸状態の光の陰影とその陰影の明るさと暗さが次第に変化するブラインドパターンの全体のトーンの変化により、当該反射面が平面的な壁（突き当り面）としての存在を喪失してしまうようになる。
【００４６】
この結果、同構成によれば、照明光自体の光の広がりによる空間拡張効果に加えて、上記ブラインドパターンによる空間拡張効果により、奥行き空間８が一段と広く、かつ奥深く見えるようになる。また、このようなトーン変化によるブラインドパターンでの照明を行うと、仏壇内を幽玄的で、厳かな、極めて落ち着いた空間に演出することが可能となり、小型で低価格の仏壇でありながらも、単に素材や道具のみによる格調とは異なった高い格調を感じさせる仏壇を提供することができる。
【００４７】
なお、この実施の形態の場合、図１、図３、図６に示すように、仏壇本体内の上記天板１３の裏面側には、所定の厚さの連結部材１３ｂを介して、天板１３側の反射面を構成するアクリル板１３ａが設けられており、上記反射面から上方に向けて反射された照明用の光を仏壇内下方に向けて無駄なく反射させるようになっており、後部奥行き空間８側からの光を仏壇本体内前方のエリアにも広く照射するようにしている。
【００４８】
このように、この実施の形態では、仏壇本体内の構成部材の殆どが、透視遠近作用による空間拡張、奥行き延長効果に有効に寄与するように構成されている。したがって、小型で低価格の仏壇でありながらも、ユーザーが十分に納得し得るスペース感、奥行き感のある仏壇を提供することができる。また、それに加えて、素材、照明により格調感を向上させれば、より顧客吸引力の高い仏壇に仕上げることができる。
（変形例）
以上のように、この実施の形態の場合、上記仏壇本体の筐体部１内の左右両側に在って、第１、第２の棚部３４、３５の左右両端部を嵌合支持している左右一対の柱体４，４は、図２、図４に示したように、円柱体を９０度間隔で縦に４分割したような断面形状をしており、その寸法は、前後方向の寸法ａの方が左右方向の寸法ｂよりも大きい形状のものとなっている。
【００４９】
そして、同形状の柱体４、４を、上記筐体部１内前後方向の後方寄り（背板寄り）に設置し、その円弧面４１、４１間の空間寸法が、手前側では大きく、奥側に行くにしたがって、次第に小さく縮小してゆくようにし、仏壇本体内の空間そのものも同様の状態に変化するようにして、効果的な透視遠近作用が生じるようにしている。
【００５０】
これと同様の透視遠近作用は、たとえば図７に示すように、円弧面４１、４１ではなく、傾斜面４１，４１を備えた断面三角形状の柱体４、４を採用し、図示のように、その前後方向の寸法ａを大きくして、筐体部１の開口面位置から奥行き空間８までストレートに伸ばして設置することもできる。
【００５１】
このような構成の場合にも、そのストレートで長い傾斜面４１、４１間の空間寸法が、手前側では大きく、奥側に行くにしたがって、速やかに縮小してゆくようになり、仏壇本体内の空間そのものも同様の状態にストレートに変化するので、同様な透視遠近作用を生じさせることができる。
【００５２】
ただし、このような構成の場合、仏壇本体内の仏具やお供え物の設置スペース３部分の幅Ｗが、図４のような側板１２、１２間の全てを使える場合に比較して、相対的に狭くなる欠点がある。図２、図４の場合には、このような点をも考慮し、円弧面を利用することによって緩やかな左右への広がりをも感じさせる有益な遠近効果を実現している。
【００５３】
（第２の実施の形態）
次に図８〜図１０は、この出願の考案を実施する第２の実施の形態に係る仏壇の構成と作用を示している。
【００５４】
この実施の形態に係る仏壇の構成は、上記第１の実施の形態の構成における仏壇において、柱体４、４部分の厚さ（左右方向の厚さ寸法ｂ）を相当に小さく縮小し、偏平な船底型の壁体構造に形性するとともに、同様の壁体構造の柱体４を前述した天井部の反射板１３ａに代えて天板１３の裏面に設けることにより、側板１２、１２側と天板１３側の上下左右の３面で透視遠近作用による奥行き空間の拡大効果を実現するようにしたことを特徴とするものである。
【００５５】
この場合、上記３枚の壁体構造の柱体４、４、４は、たとえば図８〜図１０に示されるように、仏壇本体の筐体部１の開口面位置から後方側奥行き空間８部分まで長く伸ばして設置している。そして、この場合、奥行き空間８も、その前後方向の寸法ｃが上記第１の実施の形態の場合に比べて所定寸法大きくなっている。
【００５６】
また、この実施の形態の構成では、仏具やお供え物設置スペース３部分には、上記第１の実施の形態の第１、第２の段部３１，３１、３２，３２や第１の棚部３４、第２の棚部３５に代えて、下段、中段、上段、全部で３段の階段状の棚３１ａ、３２ａ、３３ａが設けられている。この階段状の棚３１ａ、３２ａ、３３ａは、たとえば図９および図１０から明らかなように、最下段の棚３１ａは、膳引き状に薄く前端から後端まで前後方向に長く延びており、中段の棚３２ａは、下段の棚３１ａの上部に在って前後方向中間位置から相当な高さに立ち上がり、所定の幅を有して後方に延びている。また、最上段の棚３３ａは、中段の棚３２ａの上部に在って同中段の棚３２ａの途中から所定の高さに立ち上がり、後端側の背板１４の前面１４ａまで延びている。これら各階段状の棚３１ａ、３２ａ、３３ａの前端部は、たとえば図９に示されるように、左右両方向に湾曲した円弧部となっている。
【００５７】
その他のＬＥＤ７や背板１４の前面１４ａにおける反射面の構成は、基本的に上述した第１の実施の形態のものと同様であり、同一の符号を付したところは同様の作用を奏する。
【００５８】
このような構成の場合にも、その左右方向に薄く、前後方向に長い緩やかな円弧面４１、４１間の空間寸法が、手前側では大きく、奥側に行くにしたがって、緩やかに縮小してゆくようになっており、仏壇本体内の空間断面積そのものも前部側から後方側に緩やかに縮小してゆくので、第１の実施の形態の場合と全く同様の透視遠近作用を生じさせることができる。その結果、仏壇本体内の奥行き拡大、延長効果を実現することができる。
【００５９】
特に、この実施の形態の場合には、左右両側板１２、１２部分だけでなく、天板１３側でも同様の作用が生じるので、より奥行き拡大、延長効果が高くなる。
【００６０】
また、この実施の形態の場合、左右一対の柱体４、４を、仏壇本体の筐体部１の開口面位置から後方側奥行き空間８部分まで長く伸ばして設置しているが、その左右方向の厚さ寸法ｂの拡大率が小さく、特に前部側の厚さは小さいので、上述した変形例（図７）の場合のような仏具、お供え物設置スペース３の制約度は小さい。
【００６１】
（第３の実施の形態）
次に図１１は、この出願の考案を実施する第３の実施の形態に係る仏壇の構成を示している。
【００６２】
この実施の形態に係る仏壇の構成は、上記第１の実施の形態の構成における仏壇において、柱体４、４の次第に対向間隔が小さくなる円弧面４１、４１部分の形状をリニアに対向間隔が小さくなるストレートな傾斜面に変更して同様の奥行き空間の拡大、延長効果を実現したことを特徴とするものである。その他の構成は、全く同一であり、同一の作用を奏する。
【００６３】
このような構成の場合にも、相互に対向する傾斜面４１、４１間の空間寸法が、手前側では大きく、奥側に行くにしたがって、次第に縮小してゆくようになり、仏壇本体内の空間断面積そのものも同様の状態に変化するので、同様な透視遠近作用を生じさせることができる。
【００６４】
しかも、上記変形例（図７）のように、仏壇本体内の仏具やお供え物の設置スペース３部分の幅Ｗが狭くなる欠点もない。
【００６５】
（第４の実施の形態）
次に図１２は、この出願の考案を実施する第４の実施の形態に係る仏壇の構成を示している。
【００６６】
この実施の形態に係る仏壇の構成は、上記第１の実施の形態の構成における仏壇において、柱体４、４の次第に対向間隔が小さくなる円弧面４１、４１部分の形状を同様に次第に対向間隔が小さくなる逆形状の凹状の円弧面に変更して、同様の奥行き空間の拡大、延長効果を実現したことを特徴とするものである。その他の構成は、全く同一であり、同一の作用を奏する。
【００６７】
このような構成の場合にも、相互に対向する凹状の円弧面４１、４１間の空間寸法が、手前側では大きく、奥側に行くにしたがって、次第に縮小してゆくようになり、仏壇本体内の空間断面積そのものも同様の状態に変化するので、同様な透視遠近作用を生じさせることができる。
【００６８】
（第５の実施の形態）
次に図１３は、この出願の考案を実施する第５の実施の形態に係る仏壇の構成を示している。
【００６９】
この実施の形態に係る仏壇の構成は、上記第１の実施の形態の構成における仏壇において、柱体４、４の次第に対向間隔が小さくなる円弧面４１、４１部分の曲率変化を小さくし、緩やかな円弧面に形成するとともに、背面４２、４２側をも円弧面に形成し、前部側の円弧面４１、４１部分で同様の奥行き空間の拡大、延長効果を実現したことを特徴とするものである。その他の構成は、全く同一であり、同一の作用を奏する。
【００７０】
このような構成の場合にも、相互に対向する円弧面４１、４１間の空間寸法が、手前側では大きく、奥側に行くにしたがって、次第に縮小してゆくようになり、仏壇本体内の空間断面積そのものも同様の状態に変化するので、同様な透視遠近作用を生じさせることができる。
【００７１】
（第６の実施の形態）
次に図１４は、この出願の考案を実施する第６の実施の形態に係る仏壇の構成を示している。
【００７２】
この実施の形態に係る仏壇の構成は、上記第１の実施の形態の構成における仏壇において、柱体４、４の断面形状そのものを全体に亘って円弧形状として、その前部側の相互の対向間隔が次第に小さくなる円弧面４１、４１で同様の奥行き空間の拡大、延長効果を実現したことを特徴とするものである。その他の構成は、同一であり、同一の作用を奏する。
【００７３】
このような構成の場合にも、相互に対向する前部側の円弧面４１、４１間の空間寸法が、手前側では大きく、奥側に行くにしたがって、次第に縮小してゆくようになり、仏壇本体内の空間断面積そのものも同様の状態に変化するので、同様な透視遠近作用を生じさせることができる。
（この出願の考案に係る各実施の形態に共通する特徴と作用効果）
この出願の考案に係る実施の形態の構成では、上述のように、仏壇内部の前面側から後面側に至る部分の左右又は上下何れかの相互に対向する構成部材間の空間寸法の変化、もしくは同前面側から後面側に至る途中の左右および上下各々の相互に対向する構成部材間の空間寸法の変化を、各々遠近法の原理に沿って大から小に変化する構成として、仏壇内部の空間に実際の寸法以上の奥行きを感じさせるようにしている。
【００７４】
このように、仏壇内部の前面側から後面側に至る途中の左右又は上下何れかの相互に対向する構成部材間の空間寸法の変化、もしくは同前面側から後面側に至る途中の左右および上下各々の相互に対向する構成部材間の空間寸法の変化を、各々遠近法の原理に沿って大から小に変化する構成にすると、仏壇の前方側から後方側を見た時に、仏壇内部の左右の構成部材間の空間寸法が、手前側では大きく、奥側に行くにしたがって小さく縮小してゆく。また、同上下の構成部材間の空間寸法が、手前側では大きく、奥側に行くにしたがって小さく縮小してゆく。左右および上下各々の構成部材間の空間寸法の変化を共に大から小に変化する構成にすると、それらの作用が、仏壇内部の左右および上下で同時に実現される。
【００７５】
その結果、仏壇内部を見ているユーザーの視野は、奥に行くほど徐々に狭くなって行き、最終的に最も遠くに見える小さな面積内の１点（集約点）に集約されることになる。これにより、仏壇の内部空間において、立体的に絵画などで用いられる透視遠近法における奥行きの延長効果が実現される。
【００７６】
この効果は、仏壇内の左右又は上下、もしくは左右および上下両側にある各構成部材の見える面が、順次手前側から奥側に位置変位していることによっても有効に実現される。
【００７７】
したがって、このような構成による場合、従来の鏡面構造による場合と異なって、仏壇内の左右又は上下、もしくは左右および上下両側にある各構成部材間の空間寸法を変化させるだけのごく自然な構成で実現することができ、仏壇内部の構成に何らの違和感を生じさせることなく、仏壇本来の重厚さを失うこともない。もちろん、特別なメンテナンスも不要である。
【００７８】
また、同構成においては、上記仏壇内部の前面側から後面側に至る途中の左右又は上下何れかの構成部材間の空間寸法の変化、もしくは同前面側から後面側に至る途中の左右および上下各々の構成部材間の空間寸法の変化を、当該構成部材の連続面による連続的な寸法変化としている。
【００７９】
以上のように、仏壇内部の前面側から後面側に至る途中の左右又は上下何れかの構成部材間の空間寸法の変化、もしくは同前面側から後面側に至る途中の左右および上下各々の構成部材間の空間寸法の変化を、各々遠近法の原理に沿って大から小に変化する構成とする場合、たとえば所定の奥行き寸法毎の段階的な寸法変化や曲面や傾斜面などを用いた連続面による連続的な寸法変化などの種々の方法が考えられる。
【００８０】
その場合において、同構成では、それらの内の連続面による連続的な寸法変化を採用している。このように連続面による連続的な寸法変化とした場合、所定奥行き寸法毎の段階的な寸法変化とした場合に比べて、構成部材相互の対応面の変化が滑らかな形で連続するので、煩雑さがなく、遠近構造を採用していることを感じさせなくて済み、仏壇内部のデザインがスッキリしたものになる。また、製造時の加工も容易になる。
【００８１】
また、この実施の形態の構成においては、仏壇内部の前面側から後面側に至る途中の左右又は上下何れかの構成部材間の空間寸法の変化、もしくは同前面側から後面側に至る途中の左右および上下各々の構成部材間の空間寸法の変化は、後面の所定寸法手前までとし、仏壇内部の前面側から後面側に至る途中の左右又は上下何れかの構成部材、もしくは同前面側から後面側に至る途中の左右および上下各々の構成部材と後面との間には、所定の前後方向幅の奥行き空間が設けられている。
【００８２】
このように、仏壇内部の前面側から後面側に至る途中の左右又は上下何れかの構成部材間の空間寸法の変化、もしくは同前面側から後面側に至る途中の左右および上下各々の構成部材間の空間寸法の変化は、後面の所定寸法手前までとし、仏壇内部の前面側から後面側に至る途中の左右又は上下何れかの構成部材、もしくは同前面側から後面側に至る途中の左右および上下各々の構成部材と後面との間に、所定の前後方向幅の奥行き空間を設けると、徐々に空間寸法が小さく縮小された最終遠近視野の後に、さらに奥行き空間が存在することになり、より奥行き感が増大する。
【００８３】
また、必要に応じて、同空間部を利用して天井証明、間接照明を施すことができ、より仏壇内部の空間を広く、高く感じさせることができる。
【００８４】
これらの結果、この実施の形態によれば、従来の小型仏壇の問題を確実に解消した、奥行き感のある斬新な小型仏壇を提供することが可能となる。
【００８５】
（その他の実施の形態）
この出願の考案に係る仏壇の構成は、以上に説明した各種の形態のほかにも種々の変形が可能であり、同様の作用を果たす種々の構成、たとえば手前側の構成部材の色彩や色調は薄い色、薄い色調、明るい色、明るい色調にする一方、後方側の構成部材の色彩や色調を濃い色、濃い色調、暗い色、暗い色調のものにするなどの構成を組み合わせることも遠近感の実現に有効である。
【符号の説明】
【００８６】
１は仏壇本体の筐体部
１１は底板
１２は側板
１３は天板
１４は背板
１４ａは背板の前面
１５は背板カバー
２は扉部
２１，２２は扉部２の半体
３は棚部
３１は第１の段部
３２は第２の段部
３４は第１の棚
３５は第２の棚
３１ａは下段側棚部
３２ａは中段側棚部
３３ａは上段側棚部
４は柱体
４１は円弧面
４２は背面
５は引き出し
６は膳引き
８は奥行き空間
【図１】
0003207820.tif 000003
【図２】
0003207820.tif 000004
【図３】
0003207820.tif 000005
【図４】
0003207820.tif 000006
【図５】
0003207820.tif 000007
【図６】
0003207820.tif 000008
【図７】
0003207820.tif 000009
【図８】
0003207820.tif 000010
【図９】
0003207820.tif 000011
【図１０】
0003207820.tif 000012
【図１１】
0003207820.tif 000013
【図１２】
0003207820.tif 000014
【図１３】
0003207820.tif 000015
【図１４】
0003207820.tif 000016
【手続補正書】
【提出日】平成28年9月29日(2016.9.29)
【手続補正１】
【補正対象書類名】実用新案登録請求の範囲
【補正対象項目名】全文
【補正方法】変更
【補正の内容】
【実用新案登録請求の範囲】
【請求項１】
仏壇内部の仏具およびお供え物設置スペースの右側と左側に柱体を有する仏壇であって、右側の柱体と左側の柱体との間の対向面間の間隔は、仏壇の前面側から後面側に沿って大から小に変化する構成となっており、かつ右側の柱体の右側の側面と左側の柱体の左側の側面とが平行であることを特徴とする仏壇。
【請求項２】
右側の柱体と左側の柱体との間の対向面間の間隔が、仏壇の前面側から後面側に沿って大から小に連続的に変化する構成としたことを特徴とする請求項１記載の仏壇。
【請求項３】
右側の柱体と左側の柱体との間の対向面間の間隔が、仏壇の後面の所定寸法手前側まで仏壇の前面側から後面側に沿って大から小に変化し、右側の柱体の後面と仏壇の後面との間および左側の柱体の後面と仏壇の後面との間には、所定の奥行きの空間が設けられていることを特徴とする請求項１又は２記載の仏壇。
【手続補正２】
【補正対象書類名】明細書
【補正対象項目名】全文
【補正方法】変更
【補正の内容】
【考案の詳細な説明】
【技術分野】
【０００１】
この出願の考案は、仏壇内部の構成に遠近法の原理を採用し、実際よりも遥かに奥行きが深く見えるようにした仏壇の構造に関するものである。
【背景技術】
【０００２】
最近では、核家族化や少子高齢化による家族構成の変化、またマンション生活やアパート生活の増加などの住宅事情の変化、さらには仏壇に対する意識の変化などにより、従来から一般的なサイズとされてきた大型の仏壇に変わって、団地サイズの小型の仏壇の需要が増えている。
【０００３】
このような仏壇の場合、マンションの棚やリビングなどに設置する関係から、相当にコンパクト化され、上下左右の寸法が小さいだけでなく、奥行きも非常に浅いものとなっている（たとえば、特許文献１の仏壇の構成を参照）。
【０００４】
ところが、このように外形の寸法が小さくて、扉を開けた時の奥行きが浅い場合、どうしても重厚感に欠け、見た目に寂しい仏壇となる。
【０００５】
そこで、このような課題を解決するために、当該仏壇の筐体部内面を鏡面に形成し、内部に視覚的な広がりを与えるとともに、設置された装飾品や仏具の数を多く見せることによって、重厚感を感じさせるようにしたものが提案されている（たとえば、特許文献２の仏壇の構成を参照）。
【０００６】
このような構成の場合、確かに鏡面効果によって、奥行きや幅が広く見えるようにはなる。また、数少ない仏具が実際の数より多く見えるようになり、豪華さが増す利点はある。
【先行技術文献】
【特許文献】
【０００７】
【特許文献１】特開２０１２−８１２０５号公報
【特許文献２】特開２００４−１６００５６号公報
【考案の概要】
【考案が解決しようとする課題】
【０００８】
しかし、上記特許文献２のような鏡面構成の場合、仏壇内が３面鏡のように複雑な状況になり、また対面する自らの顔なども写るので、非常に違和感のある状態となり、仏壇としての重厚感とは程遠いものとなる。また、蝋燭などを点した時や電気の照明が反射し、落ち着かない景観となる。したがって、とても自然な奥行き感を実現できる構成のものとは言えない。また、鏡面は、蝋燭の煤や線香の煙で曇り易く、定期的な清掃が必要になる。そもそも、鏡面構造は、仏壇には似合わない。
【０００９】
この出願の考案は、このような課題を解決するためになされたもので、仏壇内部の仏具およびお供え物設置スペースの右側と左側に柱体を設け、それらの対向面間の間隔を前面側から後面側にかけて縮小するものとすることにより、実際の寸法以上の奥行きを感じさせるようにした仏壇を提供することを目的とするものである。
【課題を解決するための手段】
【００１０】
この出願の考案は、以上の課題を解決するために、次のような課題解決手段を備えて構成されている。
【００１１】
（１）請求項１の考案の課題解決手段
すなわち、この考案の課題解決手段は、仏壇内部の仏具およびお供え物設置スペースの右側と左側に柱体を有する仏壇であって、右側の柱体と左側の柱体との間の対向面間の間隔は、仏壇の前面側から後面側に沿って大から小に変化する構成となっており、かつ右側の柱体の右側の側面と左側の柱体の左側の側面とが平行であることを特徴としている。
【００１２】
このように、仏壇内部の仏具およびお供え物設置スペースの右側と左側に柱体を設け、かつ右側の柱体の右側の側面と左側の柱体の左側の側面とが平行になるようにしたうえで、右側の柱体と左側の柱体との間の対向面間の間隔を、遠近法の原理に従って、仏壇の前面側から後面側に沿って大から小に変化する構成にすると、仏壇の前方側から後方側を見た時に、仏壇内部の左右の柱体の対向面間の間隔が、手前側では大きく、奥側に行くにしたがって小さく縮小してゆく。
【００１３】
その結果、仏壇内部を見ているユーザーの視野は、奥に行くほど徐々に狭くなって行き、最終的に最も遠くに見える小さな面積内の１点（集約点）に集約されることになる。これにより、仏壇の内部空間において、立体的に絵画などで用いられる透視遠近法における奥行きの延長効果が実現される。
【００１４】
したがって、このような構成による場合、従来の鏡面構造による場合と異なって、仏壇内部の仏具およびお供え物設置スペースの右側と左側に設けた柱体の対向面間の間隔を変化させるだけのごく自然な構成で実現することができ、仏壇内部の構成に何らの違和感を生じさせることなく、仏壇本来の重厚さを失うこともない。もちろん、鏡面の清掃などのような特別なメンテナンスも不要である。
【００１５】
（２）請求項２の考案の課題解決手段
この考案の課題解決手段は、請求項１の考案の課題解決手段の構成において、右側の柱体と左側の柱体との間の対向面間の間隔が、仏壇の前面側から後面側に沿って大から小に連続的に変化する構成としたことを特徴としている。
【００１６】
上記請求項１の考案の課題解決手段の構成のように、仏壇内部の仏具およびお供え物設置スペースの右側と左側に柱体を有する仏壇において、右側の柱体と左側の柱体との間の対向面間の間隔を、遠近法の原理に従って仏壇の前面側から後面側に沿って大から小に変化する構成とした場合、同対向面間の間隔の変化を、たとえば所定の奥行き寸法毎の段階的な変化や曲面や傾斜面などの連続面を用いた連続的な変化などの種々の構成とすることが考えられる。
【００１７】
この請求項２の考案の課題解決手段では、それらの内の連続面による連続的な寸法変化を採用している。このように連続面による連続的な寸法変化とした場合、所定奥行き寸法毎の段階的な寸法変化とした場合に比べて、２つの柱体の対向面間の間隔の変化が滑らかな形で奥行き方向に連続して縮小するので、煩雑さがなく、遠近構造を採用していることを感じさせなくて済み、仏壇内部のデザインがスッキリしたものになる。また、製造時の加工も容易である。
【００１８】
（３）請求項３の考案の課題解決手段
この考案の課題解決手段は、請求項１または２の考案の課題解決手段の構成において、右側の柱体と左側の柱体との間の対向面間の間隔が、仏壇の後面の所定寸法手前側まで仏壇の前面側から後面側に沿って大から小に変化し、右側の柱体の後面と仏壇の後面との間および左側の柱体の後面と仏壇の後面との間には、所定の奥行きの空間が設けられていることを特徴としている。
【００１９】
このように、仏壇内部の仏具およびお供え物設置スペースの右側と左側に設けられた右側の柱体と左側の柱体との間の対向面間の間隔が仏壇の前面側から後面側に沿って大から小に変化するように構成した場合において、同対向面間の間隔の変化を仏壇後面の所定寸法手前までとし、右側の柱体の後面と仏壇の後面との間および左側の柱体の後面と仏壇の後面との間に、所定の奥行きの空間を設けるようにすると、徐々に右側の柱体と左側の柱体との間の対向面間の間隔が小さく縮小された最終遠近視野の先に、さらに所定の奥行きの空間が存在することになり、いわゆる視線の抜けが生じるようになる。その結果、より奥行き感が増大する。
【００２０】
また、必要に応じて、同空間部を利用して天井証明、間接照明を施すことができ、光と影の作用により、仏壇内部の空間を、より広く、深く感じさせることができるようになる。
【考案の効果】
【００２１】
以上の結果、この出願の考案によれば、従来の小型仏壇の問題を確実に解消した、奥行き感、広がり感のある斬新な小型仏壇を提供することが可能となる。
【図面の簡単な説明】
【００２２】
【図１】この出願の考案の第１の実施の形態に係る仏壇の全体的な構成を示す扉を開いた状態の正面図である。
【図２】同第１の実施の形態に係る仏壇の構成を示す断面図（図１のＡ−Ａ断面図）である。
【図３】同第１の実施の形態に係る仏壇の構成を示す断面図（図１の扉を閉じた状態におけるＢ−Ｂ断面図）である。
【図４】同第１の実施の形態に係る仏壇の要部の構成と同要部の構成による第１の奥行き延長（拡大）作用を説明する図１のＡ−Ａ断面図を用いた説明図である。
【図５】同第１の実施の形態に係る仏壇の要部の構成と同要部の構成による第２の奥行き延長（拡大）作用を説明する図１のＡ−Ａ断面図を用いた説明図である。
【図６】同第１の実施の形態に係る仏壇の背板（後面部）手前に設けられた奥行き延長（拡大）空間と天井照明、間接照明の作用を説明する要部の拡大断面図である。
【図７】同第１の実施の形態の変形例に係る仏壇の構成を説明するための図１のＡ−Ａ断面図と同様の断面図である。
【図８】この出願の考案の第２の実施の形態に係る仏壇の全体的な構成を示す正面図である。
【図９】同第２の実施の形態に係る仏壇の構成を示す断面図（図８のＣ−Ｃ断面図）である。
【図１０】同第２の実施の形態に係る仏壇の構成を示す断面図（図８のＤ−Ｄ断面図）である。
【図１１】この出願の考案の第３の実施の形態に係る仏壇の要部の構成を示す断面図（図１のＡ−Ａ断面図に対応）である。
【図１２】この出願の考案の第４の実施の形態に係る仏壇の要部の構成を示す断面図（図１のＡ−Ａ断面図に対応）である。
【図１３】この出願の考案の第５の実施の形態に係る仏壇の要部の構成を示す断面図（図１のＡ−Ａ断面図に対応）である。
【図１４】この出願の考案の第６の実施の形態に係る仏壇の要部の構成を示す断面図（図１のＡ−Ａ断面図に対応）である。
【考案を実施するための形態】
【００２３】
以下、添付の図面の図１〜図１４を参照して、この出願の考案を実施するための幾つかの最適な実施の形態の構成および作用について、詳細に説明する。
【００２４】
（第１の実施の形態）
まず図１〜図７は、この出願の考案を実施する第１の実施の形態に係る仏壇の構成と作用を示している。この実施の形態に係る仏壇は、種類としては、すでに従来例のところで説明したような、小型で、奥行きが浅い団地サイズのものが選ばれている。
【００２５】
当該仏壇の全体的な構成を示す図１〜図３に置いて、符号１は、前面側開口部に開閉用の扉２を備えた当該仏壇本体の直方体形状の筐体部を示している。該仏壇本体の筐体部１は、底板１１、側板１２，１２、天板１３、背板１４、背板カバー１５からなっており、その底板１１より下部側には下台部が設けられている。下台部上部側には引き出し５、下台部下部側には下台側膳引き６が、それぞれ前方に引き出し可能に設けられている。符号６１は、下台側膳引き６の収納空間、符号６２は同膳引き収納空間内左右両側の膳引き支持部材である。
【００２６】
筐体部１の前部側開口部に設けられている扉２は、左右各２枚の半体２１,２２、２１,２２を折り曲げ自在に連結して個性されており、この実施の形態では、内側に障子戸のない戸板のみの構成のものとなっている。この扉２は、下台部下部側の膳引き６の前端部上まで延びて配置されている。
【００２７】
このような構成の仏壇本体の仏具やお供え物の設置スペース３部分には、まず上記底板１１の左右両側に位置して、それぞれ所定の高さの段部を形成する第１の段部３１、３１、第２の段部３２、３２が設けられ、さらにその上に所定の曲率変化の円弧面４１、４１を備えて相互に対向する左右一対の柱体（透視遠近効果を生じさせる中柱）４、４が設けられている。
【００２８】
上記第１の段部３１、３１は、底板１１上の左右両側で上記柱体４、４よりも少し左右方向の幅が広く、前後方向の長さは略底板１１の奥行き方向（前後方向）の長さと同等のものとなっている。また、第２の段部３２、３２は、上記第１の段部３１、３１上で同様に上記柱体４、４よりも少し左右方向の幅が広い（第１の段部３１、３１と略同一）が、前後方向の長さは同第１の段部３１、３１よりも奥行き方向（前後方向）の長さが所定寸法以上に短いものとなっている。この長さは、次に説明する第１の棚部３４の位置から後部側背板１４部分まで延びる長さのものとなっている。
【００２９】
このように、上記左右一対の第１、第２の段部３１，３１、３２，３２は、それぞれ前後方向に長さを異にし、その前端部位置の前後関係を下部側第１の段部３１，３１の前端部が手前にあり、他方上部側第２の段部３２，３２の前端部が後方側にある関係に設定することにより遠近感（奥行き）を生じさせるようになっている。
【００３０】
上記底板１１上の上記第１の段部３１，３１の間には、載置状態で前部側所定位置に引き出すことができる一種の膳引き３３が設けられている。
【００３１】
第１の棚部３４は、たとえば透明なアクリル板からなり、図１〜図３から明らかなように、上記第２の段部３２よりも所定寸法高い上記柱体４、４の上下方向途中に在って、上記柱体４、４間に架け渡されて支持されている。この第１の棚部３４は、上記左右の柱体４、４の前端から背板１４の前面までの広い前後幅を有して構成されている（図３参照）。他方、第２の棚部３５は、たとえば透明なアクリル板からなり、図１〜図３から明らかなように、上記柱体４、４の上下方向の途中に在って、上記第１の棚部３４よりも所定高さ上方に位置して上記柱体４、４間に架け渡されて支持されている。この第２の棚部３５は、上記左右の柱体４、４の前後方向中間位置から背板１４の前面までの狭い前後幅を有して構成されている（図３参照）。
【００３２】
このように、上記左右一対の第１、第２の段部３１，３１、３２，３２が、それぞれ前後方向に長さを異にし、その前端部位置の前後関係を変えることにより遠近感を生じさせているのと同様に、第１、第２の棚部３４，３４、３５，３５も、それぞれ前後方向の板幅を異にするものとし、その前端部位置を下部側第１の棚部３４，３４を手前側に、上部側第２の棚部３５，３５を後方側に位置させることにより遠近感を生じさせるようにしている。
【００３３】
これら第１、第２の棚部３４，３４、３５，３５は、また、それぞれ透明なアクリル板により形成することにより、棚板の存在自体が分かりにくい（見えにくい）ようにすることによって、仏壇本体内が可及的に広く感じられるようにしている。また、そのように透明体にすることによって、後述するように、天井からの照明光を背板１４や側板１２、１２、底板１１等で反射させて間接的に仏壇本体内全体を照明する場合にも、光をさえぎることなく全体を均等に照らすことができるので、より適切な照明を行なうことができ、可及的に仏壇本体内を広く見せることができる。
【００３４】
仏壇本体の筐体部１内の左右両側に在って、上記のように第１、第２の棚部３４、３５の左右両端部を嵌合支持している左右一対の柱体４，４は、図２から明らかなように、円柱体を９０度間隔で縦に４分割したような断面形状をしているが、この実施の形態では、その寸法は、図４から明らかなように、前後方向の寸法ａの方が左右方向の寸法ｂよりも所定の寸法だけ大きい形状のものとなっており、それぞれの内側円弧面４１、４１同士が左右方向に相互に所定の間隔をおいて対面する状態で、上端が天板１３、下端が第２の段部３２、３２に対して、また側面が側板１２、１２に対して、各々固定されている。この柱体４、４の筐体部１内前後方向の設置位置は、中間部でも、後方寄り（背板１４寄り）でも構わないが、この実施の形態では、たとえば図２〜図４に示すような、後方寄り（背板１４寄り）の位置に設置し、しかも背面（実用新案登録請求の範囲の請求項３で言う柱体の後面）４２、４２と背板（実用新案登録請求の範囲の請求項３で言う仏壇の後面）１４との間に所定の前後方向寸法ｃの奥行き空間（実用新案登録請求の範囲の請求項３で言う所定の奥行きの空間）８を残して設置されている。
【００３５】
この奥行き空間８は、視覚的な奥行き拡大効果に加えて、後に述べるような間接照明用の空間としても利用される。また、前後方向の寸法をａとし、後方寄り位置に設置することによって、その前部側の側板１２、１２間に左右方向寸法Ｗと言う最大限に広い、仏具やお供え物の設置スペース３を実現している（図４参照）。
【００３６】
ところで、左右方向に所定の間隔をおいて対面する上記左右一対の柱体４、４の円弧面４１、４１は、その前端側（側板１２位置）から後端側（背面４２、４２の内端側）にかけて、次第に相互の間の空間寸法（対向面間の間隔）が小さくなる緩やかな曲面（対向面間の間隔が連続的に小さくなる緩やかな曲面）に形成されている。しかも、同曲面よりなる当該円弧面４１、４１は、柱体４、４の前後方向の寸法ａの方が左右方向の寸法ｂよりも所定の寸法だけ大きく、前後方向に長い形状として、十分に有効な距離のあるものとしている。
【００３７】
したがって、このような構成の場合、たとえば図４に示すように、仏壇の扉２を開けて仏壇の前に立ち、仏壇本体内を前方側から後方側に見た時に、仏壇本体内部の左右の柱体４、４間の空間寸法（対向面間の間隔）が、手前側では大きく、奥側に行くにしたがって、次第に小さく縮小してゆくために、仏壇本体内の空間面責そのものも同様の状態に変化することになり、仮想線で示すような透視遠近作用が生じ、視線の集約点が実際の仏壇本体内の背板１４よりも後方に延長されるようになる。これにより、仏壇本体の内部空間において、立体的に絵画などで用いられる透視遠近法における奥行きの延長効果が実現される。
【００３８】
しかも、この場合において、上記柱体４、４の背面４２、４２と背板１４との間には所定の前後方向寸法ｃの奥行き空間８が設けられている。したがって、図５から明らかなように、左右の柱体４、４の円弧面４１、４１を見てゆく視線は、当該円弧面４１、４１を過ぎて未だその向こうに深い空間の存在を感じるようになる。すなわち、遠近感の実現に有効な、いわゆる視線の抜け（窓開け効果／窓の向こうの景色が見えるようになる）が実現される。その結果、さらなる空間拡張、奥行き延長効果が生じる。
【００３９】
また、同構成では、すでに述べたように、そのような透視遠近作用を引き起こす柱体４、４の構造に加えて、第１、第２の段部３１，３１、３２，３２や第１、第２の棚部３４，３５も、下側のものが手前側に大きく突出する一方、上部側のものが大きく後方に下がっている。したがって、これらの構成部材相互の関係によっても、上述した透視遠近作用が生じ、仏壇本体内の空間拡張、奥行き延長効果が生じる。
【００４０】
しかも、その場合において、第１、第２の棚部３４、３５は、アクリル板などの透明体よりなっているので、視覚的には存在感が弱く、空間制約力も低い。そのため、仏壇本体内部の空間を可及的に広く見せることができる。
【００４１】
ところで、この実施の形態の場合、上記のように柱体４、４の背面４２、４２側と背板１４の前面１４ａ側との間には所定の前後方向寸法ｃの奥行き空間８が設けられている。そして、この奥行き空間８の上端側天板１３の裏面には、左右両端に亘ってテープ状のＬＥＤ（照明手段）７が設けられており、天井照明手段として、背板１４の前面１４ａを反射面に利用して、仏壇本体内の全体を均一に間接照明するようにしている。
【００４２】
反射面となる背板１４の前面１４ａは、たとえば図３に示すような、左右両方向に延びる所定の深さの円弧状の凹面溝が、上端側から下端側まで並設された光の反射面となっており、上記ＬＥＤ７が点灯されると、たとえば図６に示されるように、上方側天井部からの光を順次前方に反射して、上記仏壇本体内の天板部１３の裏面、側板１２、１２の内面、底板１１の上面、柱体４、４の円弧面４１、４１、第１の棚部３４、第２の棚部３５、第１の段部３１、３１の上面、第２の段部３２、３２の上面を間接的にソフトに照明する。
【００４３】
この場合、図６から明らかなように、上記ＬＥＤ７からの光は、上記反射面の各凹面溝で反射するが、その反射点は、入射角が大きい上部側では凹面溝の中央部で反射されるが、下方に行くにしたがって入射角が小さくなり、水平に近くなってゆくので、反射面の面積も下部側の一部と次第に狭くなって行く。その結果、当該反射面である背板１４の前面部の凹面溝も上部から下部に行くに従って影の部分が多くなり、光の陰影により凹凸状態を示しながら、下方に向けて暗くなっていくブラインドパターンを生ぜしめる。
【００４４】
この凹凸状態の光の陰影とその陰影の明るさと暗さが次第に変化するブラインドパターンの全体のトーンの変化により、当該反射面が平面的な壁（突き当り面）としての存在を喪失してしまうようになる。
【００４５】
この結果、同構成によれば、照明光自体の光の広がりによる空間拡張効果に加えて、上記ブラインドパターンによる空間拡張効果により、奥行き空間８が一段と広く、かつ奥深く見えるようになる。また、このようなトーン変化によるブラインドパターンでの照明を行うと、仏壇内を幽玄的で、厳かな、極めて落ち着いた空間に演出することが可能となり、小型で低価格の仏壇でありながらも、単に素材や道具のみによる格調とは異なった高い格調を感じさせる仏壇を提供することができる。
【００４６】
なお、この実施の形態の場合、図１、図３、図６に示すように、仏壇本体内の上記天板１３の裏面側には、所定の厚さの連結部材１３ｂを介して、天板１３側の反射面を構成するアクリル板１３ａが設けられており、上記反射面から上方に向けて反射された照明用の光を仏壇内下方に向けて無駄なく反射させるようになっており、後部奥行き空間８側からの光を仏壇本体内前方のエリアにも広く照射するようにしている。
【００４７】
このように、この実施の形態では、仏壇本体内の構成部材の殆どが、透視遠近作用による空間拡張、奥行き延長効果に有効に寄与するように構成されている。したがって、小型で低価格の仏壇でありながらも、ユーザーが十分に納得し得るスペース感、奥行き感のある仏壇を提供することができる。また、それに加えて、素材、照明により格調感を向上させれば、より顧客吸引力の高い仏壇に仕上げることができる。
（変形例）
以上のように、この実施の形態の場合、上記仏壇本体の筐体部１内の左右両側に在って、第１、第２の棚部３４、３５の左右両端部を嵌合支持している左右一対の柱体４，４は、図２、図４に示したように、円柱体を９０度間隔で縦に４分割したような断面形状をしており、その寸法は、前後方向の寸法ａの方が左右方向の寸法ｂよりも大きい形状のものとなっている。
【００４８】
そして、同形状の柱体４、４を、上記筐体部１内前後方向の後方寄り（背板１４寄り）に設置し、その円弧面４１、４１間の空間寸法が、手前側では大きく、奥側に行くにしたがって、次第に小さく縮小してゆくようにし、仏壇本体内の空間そのものも同様の状態に変化するようにして、効果的な透視遠近作用が生じるようにしている。
【００４９】
これと同様の透視遠近作用は、たとえば図７に示すように、円弧面４１、４１ではなく、傾斜面４１，４１を備えた断面三角形状の柱体４、４を採用し、図示のように、その前後方向の寸法ａを大きくして、筐体部１の開口面位置から奥行き空間８までストレートに伸ばして設置することもできる。
【００５０】
このような構成の場合にも、そのストレートで長い傾斜面４１、４１間の空間寸法（対向面間の間隔）が、手前側では大きく、奥側に行くにしたがって、速やかに縮小してゆくようになり、仏壇本体内の空間そのものも同様の状態にストレートに変化するので、同様な透視遠近作用を生じさせることができる。
【００５１】
ただし、このような構成の場合、仏壇本体内の仏具やお供え物の設置スペース３部分の幅Ｗが、図４のような側板１２、１２間の全てを使える場合に比較して、相対的に狭くなる欠点がある。図２、図４の場合には、このような点をも考慮し、円弧面を利用することによって緩やかな左右への広がりをも感じさせる有益な遠近効果を実現している。
【００５２】
（第２の実施の形態）
次に図８〜図１０は、この出願の考案を実施する第２の実施の形態に係る仏壇の構成と作用を示している。
【００５３】
この実施の形態に係る仏壇の構成は、上記第１の実施の形態の構成における仏壇において、柱体４、４部分の厚さ（左右方向の厚さ寸法ｂ）を相当に小さく縮小し、偏平な船底型の壁体構造に形性するとともに、同様の壁体構造の柱体４を前述した天井部の反射板１３ａに代えて天板１３の裏面に設けることにより、側板１２、１２側と天板１３側の上下左右の３面で透視遠近作用による奥行き空間の拡大効果を実現するようにしたことを特徴とするものである。
【００５４】
この場合、上記３枚の壁体構造の柱体４、４、４は、たとえば図８〜図１０に示されるように、仏壇本体の筐体部１の開口面位置から後方側奥行き空間８部分まで長く伸ばして設置している。そして、この場合、奥行き空間８も、その前後方向の寸法ｃが上記第１の実施の形態の場合に比べて所定寸法大きくなっている。
【００５５】
また、この実施の形態の構成では、仏具やお供え物設置スペース３部分には、上記第１の実施の形態の第１、第２の段部３１，３１、３２，３２や第１の棚部３４、第２の棚部３５に代えて、下段、中段、上段、全部で３段の階段状の棚３１ａ、３２ａ、３３ａが設けられている。この階段状の棚３１ａ、３２ａ、３３ａは、たとえば図９および図１０から明らかなように、最下段の棚３１ａは、膳引き状に薄く前端から後端まで前後方向に長く延びており、中段の棚３２ａは、下段の棚３１ａの上部に在って前後方向中間位置から相当な高さに立ち上がり、所定の幅を有して後方に延びている。また、最上段の棚３３ａは、中段の棚３２ａの上部に在って同中段の棚３２ａの途中から所定の高さに立ち上がり、後端側の背板１４の前面１４ａまで延びている。これら各階段状の棚３１ａ、３２ａ、３３ａの前端部は、たとえば図９に示されるように、左右両方向に湾曲した円弧部となっている。
【００５６】
その他のＬＥＤ７や背板１４の前面１４ａにおける反射面の構成は、基本的に上述した第１の実施の形態のものと同様であり、同一の符号を付したところは同様の作用を奏する。
【００５７】
このような構成の場合にも、その左右方向に薄く、前後方向に長い緩やかな円弧面４１、４１間の空間寸法（対向面間の間隔）が、手前側では大きく、奥側に行くにしたがって、緩やかに縮小してゆくようになっており、仏壇本体内の空間断面積そのものも前部側から後方側に緩やかに縮小してゆくので、第１の実施の形態の場合と全く同様の透視遠近作用を生じさせることができる。その結果、仏壇本体内の奥行き拡大、延長効果を実現することができる。
【００５８】
特に、この実施の形態の場合には、左右両側板１２、１２部分だけでなく、天板１３側でも同様の作用が生じるので、より奥行き拡大、延長効果が高くなる。
【００５９】
また、この実施の形態の場合、左右一対の柱体４、４を、仏壇本体の筐体部１の開口面位置から後方側奥行き空間８部分まで長く伸ばして設置しているが、その左右方向の厚さ寸法ｂの拡大率が小さく、特に前部側の厚さは小さいので、上述した変形例（図７）の場合のような仏具、お供え物設置スペース３の制約度は小さい。
【００６０】
（第３の実施の形態）
次に図１１は、この出願の考案を実施する第３の実施の形態に係る仏壇の構成を示している。
【００６１】
この実施の形態に係る仏壇の構成は、上記第１の実施の形態の構成における仏壇において、柱体４、４の次第に対向面間の間隔が小さくなる円弧面４１、４１部分の形状をリニアに対向面間の間隔が小さくなるストレートな傾斜面に変更して同様の奥行き空間の拡大、延長効果を実現したことを特徴とするものである。その他の構成は、全く同一であり、同一の作用を奏する。
【００６２】
このような構成の場合にも、相互に対向する傾斜面４１、４１間の空間寸法（対向面間の間隔）が、手前側では大きく、奥側に行くにしたがって、次第に縮小してゆくようになり、仏壇本体内の空間断面積そのものも同様の状態に変化するので、同様な透視遠近作用を生じさせることができる。
【００６３】
しかも、上記変形例（図７）のように、仏壇本体内の仏具やお供え物の設置スペース３部分の幅Ｗが狭くなる欠点もない。
【００６４】
（第４の実施の形態）
次に図１２は、この出願の考案を実施する第４の実施の形態に係る仏壇の構成を示している。
【００６５】
この実施の形態に係る仏壇の構成は、上記第１の実施の形態の構成における仏壇において、柱体４、４の次第に対向面間の間隔が小さくなる円弧面４１、４１部分の形状を同様に次第に対向面間の間隔が小さくなる逆形状の凹状の円弧面に変更して、同様の奥行き空間の拡大、延長効果を実現したことを特徴とするものである。その他の構成は、全く同一であり、同一の作用を奏する。
【００６６】
このような構成の場合にも、相互に対向する凹状の円弧面４１、４１間の空間寸法（対向面間の間隔）が、手前側では大きく、奥側に行くにしたがって、次第に縮小してゆくようになり、仏壇本体内の空間断面積そのものも同様の状態に変化するので、同様な透視遠近作用を生じさせることができる。
【００６７】
（第５の実施の形態）
次に図１３は、この出願の考案を実施する第５の実施の形態に係る仏壇の構成を示している。
【００６８】
この実施の形態に係る仏壇の構成は、上記第１の実施の形態の構成における仏壇において、柱体４、４の次第に対向面間の間隔が小さくなる円弧面４１、４１部分の曲率変化を小さくし、緩やかな円弧面に形成するとともに、背面４２、４２側をも円弧面に形成し、前部側の円弧面４１、４１部分で同様の奥行き空間の拡大、延長効果を実現したことを特徴とするものである。その他の構成は、全く同一であり、同一の作用を奏する。
【００６９】
このような構成の場合にも、相互に対向する円弧面４１、４１間の空間寸法（対向面間の間隔）が、手前側では大きく、奥側に行くにしたがって、次第に縮小してゆくようになり、仏壇本体内の空間断面積そのものも同様の状態に変化するので、同様な透視遠近作用を生じさせることができる。
【００７０】
（第６の実施の形態）
次に図１４は、この出願の考案を実施する第６の実施の形態に係る仏壇の構成を示している。
【００７１】
この実施の形態に係る仏壇の構成は、上記第１の実施の形態の構成における仏壇において、柱体４、４の断面形状そのものを全体に亘って円弧形状として、その前部側の相互の対向間隔が次第に小さくなる円弧面４１、４１で同様の奥行き空間の拡大、延長効果を実現したことを特徴とするものである。その他の構成は、同一であり、同一の作用を奏する。
【００７２】
このような構成の場合にも、相互に対向する前部側の円弧面４１、４１間の空間寸法（対向面間の間隔）が、手前側では大きく、奥側に行くにしたがって、次第に縮小してゆくようになり、仏壇本体内の空間断面積そのものも同様の状態に変化するので、同様な透視遠近作用を生じさせることができる。
（この出願の考案に係る各実施の形態に共通する特徴と作用効果）
この出願の考案に係る実施の形態の構成では、上述のように、仏壇内部の前面側から後面側に至る部分の左右又は上下何れかの相互に対向する構成部材間の空間寸法の変化、もしくは同前面側から後面側に至る途中の左右および上下各々の相互に対向する構成部材間の空間寸法の変化を、各々遠近法の原理に沿って大から小に変化する構成として、仏壇内部の空間に実際の寸法以上の奥行きを感じさせるようにしている。
【００７３】
このように、仏壇内部の前面側から後面側に至る途中の左右又は上下何れかの相互に対向する構成部材間の空間寸法の変化、もしくは同前面側から後面側に至る途中の左右および上下各々の相互に対向する構成部材間の空間寸法の変化を、各々遠近法の原理に沿って大から小に変化する構成にすると、仏壇の前方側から後方側を見た時に、仏壇内部の左右の構成部材間の空間寸法が、手前側では大きく、奥側に行くにしたがって小さく縮小してゆく。また、同上下の構成部材間の空間寸法が、手前側では大きく、奥側に行くにしたがって小さく縮小してゆく。左右および上下各々の構成部材間の空間寸法の変化を共に大から小に変化する構成にすると、それらの作用が、仏壇内部の左右および上下で同時に実現される。
【００７４】
その結果、仏壇内部を見ているユーザーの視野は、奥に行くほど徐々に狭くなって行き、最終的に最も遠くに見える小さな面積内の１点（集約点）に集約されることになる。これにより、仏壇の内部空間において、立体的に絵画などで用いられる透視遠近法における奥行きの延長効果が実現される。
【００７５】
この効果は、仏壇内の左右又は上下、もしくは左右および上下両側にある各構成部材の見える面が、順次手前側から奥側に位置変位していることによっても有効に実現される。
【００７６】
したがって、このような構成による場合、従来の鏡面構造による場合と異なって、仏壇内の左右又は上下、もしくは左右および上下両側にある各構成部材間の空間寸法を変化させるだけのごく自然な構成で実現することができ、仏壇内部の構成に何らの違和感を生じさせることなく、仏壇本来の重厚さを失うこともない。もちろん、特別なメンテナンスも不要である。
【００７７】
また、同構成においては、上記仏壇内部の前面側から後面側に至る途中の左右又は上下何れかの構成部材間の空間寸法の変化、もしくは同前面側から後面側に至る途中の左右および上下各々の構成部材間の空間寸法の変化を、当該構成部材の連続面による連続的な寸法変化としている。
【００７８】
以上のように、仏壇内部の前面側から後面側に至る途中の左右又は上下何れかの構成部材間の空間寸法の変化、もしくは同前面側から後面側に至る途中の左右および上下各々の構成部材間の空間寸法の変化を、各々遠近法の原理に沿って大から小に変化する構成とする場合、たとえば所定の奥行き寸法毎の段階的な寸法変化や曲面や傾斜面などを用いた連続面による連続的な寸法変化などの種々の方法が考えられる。
【００７９】
その場合において、同構成では、それらの内の連続面による連続的な寸法変化を採用している。このように連続面による連続的な寸法変化とした場合、所定奥行き寸法毎の段階的な寸法変化とした場合に比べて、構成部材相互の対応面の変化が滑らかな形で連続するので、煩雑さがなく、遠近構造を採用していることを感じさせなくて済み、仏壇内部のデザインがスッキリしたものになる。また、製造時の加工も容易になる。
【００８０】
また、この実施の形態の構成においては、仏壇内部の前面側から後面側に至る途中の左右又は上下何れかの構成部材間の空間寸法の変化、もしくは同前面側から後面側に至る途中の左右および上下各々の構成部材間の空間寸法の変化は、後面の所定寸法手前までとし、仏壇内部の前面側から後面側に至る途中の左右又は上下何れかの構成部材、もしくは同前面側から後面側に至る途中の左右および上下各々の構成部材と後面との間には、所定の前後方向幅の奥行き空間が設けられている。
【００８１】
このように、仏壇内部の前面側から後面側に至る途中の左右又は上下何れかの構成部材間の空間寸法の変化、もしくは同前面側から後面側に至る途中の左右および上下各々の構成部材間の空間寸法の変化は、後面の所定寸法手前までとし、仏壇内部の前面側から後面側に至る途中の左右又は上下何れかの構成部材、もしくは同前面側から後面側に至る途中の左右および上下各々の構成部材と後面との間に、所定の前後方向幅の奥行き空間を設けると、徐々に空間寸法が小さく縮小された最終遠近視野の後に、さらに奥行き空間が存在することになり、より奥行き感が増大する。
【００８２】
また、必要に応じて、同空間部を利用して天井証明、間接照明を施すことができ、より仏壇内部の空間を広く、高く感じさせることができる。
【００８３】
これらの結果、この実施の形態によれば、従来の小型仏壇の問題を確実に解消した、奥行き感のある斬新な小型仏壇を提供することが可能となる。
【００８４】
（その他の実施の形態）
この出願の考案に係る仏壇の構成は、以上に説明した各種の形態のほかにも種々の変形が可能であり、同様の作用を果たす種々の構成、たとえば手前側の構成部材の色彩や色調は薄い色、薄い色調、明るい色、明るい色調にする一方、後方側の構成部材の色彩や色調を濃い色、濃い色調、暗い色、暗い色調のものにするなどの構成を組み合わせることも遠近感の実現に有効である。
【符号の説明】
【００８５】
１は仏壇本体の筐体部
１１は底板
１２は側板
１３は天板
１４は背板
１４ａは背板の前面
１５は背板カバー
２は扉部
２１，２２は扉部２の半体
３は棚部
３１は第１の段部
３２は第２の段部
３４は第１の棚
３５は第２の棚
３１ａは下段側棚部
３２ａは中段側棚部
３３ａは上段側棚部
４は柱体
４１は円弧面
４２は背面
５は引き出し
６は膳引き
８は奥行き空間